(57)【要約】【課題】観賞用水槽内において横方向に浮遊するバブルリングを発生させ、観賞用の視覚効果ならびに癒し効果を高めると共に商業用水槽ディスプレイとして高い宣伝視覚効果が得られる気泡発生装置の提供を図る。【解決手段】観賞用水槽内に設けられる圧力発生装置と、気泡発生装置から構成されるバブルリング発生装置であって、圧力発生装置は、ピストンの往復動による圧力発生機構と、流動圧発生室と、該流動圧発生室の壁面の一部に設けられる放出穴から成り、気泡発生装置は、気泡がカーテン状に放出される直線状の構造を有して成り、圧力発生装置から断続的に放出される流動水域が気泡発生装置のカーテン状に浮遊する直線状の気泡ゾーンを通過することによって横方向に移動するバブルリングを形成する手段を採った。【選択図】図１
2011234638.tif 000002
【特許請求の範囲】
【請求項１】
観賞用水槽内に設けられる圧力発生装置と、気泡発生装置から構成されるバブルリング発生装置であって、
前記圧力発生装置は、ピストンの往復動による圧力発生機構と、流動圧発生室と、該流動圧発生室の壁面の一部に設けられる放出穴から成り、
前記気泡発生装置は、気泡がカーテン状に放出される直線状の構造を有して成り、
前記圧力発生装置から断続的に放出される流動水域が前記気泡発生装置のカーテン状に浮遊する直線状の気泡ゾーンを通過することによって横方向に移動するバブルリングを形成することを特徴とするバブルリング発生装置。
【請求項２】
前記圧力発生機構が、前記ピストンの駆動に電気的動力手段を用い、該電気的動力手段を電気的、機械的、又は電気的及び機械的に制御することを特徴とする請求項１記載のバブルリング発生装置。
【請求項３】
前記放出穴の開口面に、角度調整機構を備えたことを特徴とする請求項１記載または請求項２記載のバブルリング発生装置。
【請求項４】
前記放出穴の口径が、差し替え機構により任意の径に差し替えできることを特徴とする請求項１記載から請求項３の何れかに記載のバブルリング発生装置。
【請求項５】
前記放出穴の数量が、複数であることを特徴とする請求項１記載から請求項４の何れかに記載のバブルリング発生装置。
【発明の詳細な説明】
【技術分野】
【０００１】
本発明は、水槽内においてバブルリング（リング状の泡）を横方向に放出させる気泡発生装置に関する。
【背景技術】
【０００２】
従来の気泡発生装置は、一般的には熱帯魚飼育用の酸素補給装置としてや水草鑑賞用アクアリウムの装飾アイテムとして利用され、商業的にはショーウインドウやインテリア家具などにおいて、気泡の大きさやタイミングを組み合わせたアートデザインを構成して使用されている。
【０００３】
例えば、「観賞用水槽」(特許文献1参照)、「流水の鑑賞効果と空気清浄作用とを併せ持つディスプレイ」(特許文献２参照)、「水槽装飾システム」(特許文献３参照)、「観賞用水槽及び観賞用ディスプレイ装置」(特許文献４参照)、「ディスプレイ装置」(特許文献５参照)、及び「立泡ディスプレー」(特許文献６参照) などが提案され、その一部は実用化されている。
【０００４】
また、気泡リングを発生させる提案としては、「リング気泡発生装置」(特許文献７参照)、「発泡装飾水槽」(特許文献８参照)、及び「液体中で気体の渦輪を発生させる装置」(特許文献９参照) などが提案され、公知技術となっている。
【０００５】
しかしながら、上記の提案のいずれも発生する気泡または気泡リングが、浮力によって水槽を上昇する自然現象を利用したもので、水中で気泡が上昇することは誰でもが予想できるものであり、取り立て期待以上の印象を抱かせる視覚効果の高いディスプレイではなかった。
【０００６】
一方、島根県浜田市の水族館「しまね海洋館アクアス」では、飼育員が吐き出す酸素ボンベの泡をシロイルカが口に含んでリング状に吐き出すイルカショー「幸せのバブルリング」や、米村でんじろう氏のダンボール箱の中に煙を閉じ込めて吐き出す「空気砲」のサイエンスショーが人気を集め、注目を浴びている。
【０００７】
それらの人気を集めるシロイルカの愛らしい姿から吐き出されるリング状の泡の癒しを感じる水中パフォーマンスや、客席に煙のリングが視覚効果と音楽効果によって幻想的に漂う演出に本発明者は着目し、「幸せのバブルリンク」や「空気砲」の現象を観賞用の水槽や商業用の広告ディスプレイとして再現できないかとの発想から、水槽内で水圧発生装置と気泡発生装置を使って水槽内に流れを作り、流体内に生ずる速度差から生じる負圧を上手く気泡に作用させて横方向に放出されるバブルリングを人工的に発生させることに成功し、視覚的効果等が得られる理想的なバブルリングを発生させるための諸条件を実験から見出して本発明に至ったものである。
【先行技術文献】
【特許文献】
【０００８】
【特許文献１】実開平６−３３４６１号公報
【特許文献２】特開平９−１９７９９５号公報
【特許文献３】特開２００２−２９１３７１号公報
【特許文献４】特開２００４−５６３号公報
【特許文献５】登録実用新案登録第３０１８５５５号公報
【特許文献６】登録実用新案登録第３０７０８８７号公報
【特許文献７】特開平６−１４１７３３号公報
【特許文献８】特開２００３−３９８９６号公報
【特許文献９】特開２００５−１０３４５６号公報
【発明の概要】
【発明が解決しようとする課題】
【０００９】
本発明は、上記問題点に鑑み、観賞用水槽内において横方向に放出されるバブルリングを発生させ、観賞時の視覚効果ならびに癒し効果を高めると共に商業用水槽ディスプレイとして高い宣伝視覚効果が得られる気泡発生装置の提供を図るものである。
【課題を解決するための手段】
【００１０】
本発明は上記目的を達成するためになされるもので、観賞用水槽内に設けられる圧力発生装置と、気泡発生装置から構成されるバブルリング発生装置であって、圧力発生装置は、ピストンの往復動による圧力発生機構と、流動圧発生室と、該流動圧発生室の壁面の一部に設けられる放出穴から成り、気泡発生装置は、気泡がカーテン状に放出される直線状の構造を有して成り、圧力発生装置から断続的に放出される流動水域が気泡発生装置のカーテン状に浮遊する直線状の気泡ゾーンを通過することによって横方向に移動するバブルリングを形成する手段を採るものである。
【００１１】
また本発明は、前記圧力発生機構が、前記ピストンの駆動に電気的動力手段を用いて、これを電気的、機械的、又は電気的及び機械的に制御する手段を採ることもできる。
【００１２】
また本発明は、前記放出穴の開口面に、角度調整機構を備える手段を採ることもできる。
【００１３】
また本発明は、前記放出穴の口径を、任意に差し替えすることができる差し替え機構を具備する手段を採ることもできる。
【００１４】
また本発明は、前記放出穴の数量を複数にする手段を採ることもできる。
【発明の効果】
【００１５】
本発明のバブルリング発生装置によれば、自然現象にない横方向にバブルリングを発生するので、癒し効果の観賞用の熱帯魚や水草観賞用アクアリウムの装飾アイテムとして、或いは商業的装飾ディスプレイとして利用できる優れた効果を奏する。
【００１６】
また本発明のバブルリング発生装置によれば、バブルリングの放出方向、大きさ、数量、タイミングなどを多彩に組み合わせることによって従来にない視覚的鑑賞効果が得られる優れた効果を奏することも可能となる。
【００１７】
また本発明のバブルリング発生装置によれば、構造が極めて簡単であることから製造コストが低廉であり、設置スペースも小さいという優れた効果を奏する。
【００１８】
また本発明のバブルリング発生装置によれば、放出穴部の形状を魚や岩礁穴、船舶模型などから発生するようなレイアウトを施すことによって、ファンタジックな視覚癒し効果が得られる優れた効果を奏する。
【００１９】
また本発明のバブルリング発生装置によれば、水槽内に流れをつくるため、藻の発生を抑制する効果があり、さらに、水槽内全体の水の酸素濃度を一定にする効果も奏する。
【図面の簡単な説明】
【００２０】
【図１】本発明に係るバブルリング発生装置の全体を示す模式的斜視図である。
【図２】本発明に係るバブルリング発生装置の構造を示す断面説明図である。
【図３】本発明に係るバブルリングの発生状態説明図である。
【図４】本発明に係るバブルリングの発生状態説明図である。
【図５】本発明に係るバブルリング発生状況図（写真：略正面方向）である。
【図６】本発明に係るバブルリング発生状況図（写真：略正面方向）である。
【図７】本発明に係るバブルリング発生状況図（写真：略正面方向）である。
【図８】本発明に係るバブルリング発生状況図（写真：略正面方向）である。
【図９】本発明に係るバブルリング発生状況図（写真：略正面方向）である。
【図１０】本発明に係るバブルリング発生状況図（写真：略正面方向）である。
【図１１】本発明に係るバブルリング発生状況図（写真：略正面方向）である。
【図１２】本発明に係るバブルリング発生状況図（写真：略横方向）である。
【図１３】本発明に係るバブルリング発生状況図（写真：略横方向）である。
【図１４】本発明に係るバブルリング発生状況図（写真：略横方向）である。
【図１５】本発明に係るバブルリング発生状況図（写真：略横方向）である。
【図１６】本発明に係るバブルリング発生状況図（写真：略横方向）である。
【図１７】本発明に係るバブルリング発生状況図（写真：略横方向）である。
【図１８】本発明に係るバブルリング発生状況図（写真：略横方向）である。
【図１９】本発明に係るバブルリング発生装置の第三の実施形態を示す説明図である。
【図２０】本発明に係るバブルリング発生装置の第四の実施形態を示す説明図である。
【発明を実施するための形態】
【００２１】
本発明に係るバブルリング発生装置１０は、圧力発生装置２０から断続的に放出される流動水域Ｅが、気泡発生装置３０のカーテン状に浮遊する直線状の気泡ゾーンＴを通過することによって、横方向に移動するバブルリングＢを形成する手段を採ったことを最大の特徴とする。以下、図面を基に説明する。
【００２２】
尚、以下に示す実施例は、あくまでも例示であり、本発明に係るバブルリング発生装置１０の寸法、形状、材質、動力性能、設置状況などは、本発明の趣旨に逸脱しない範囲で変更することができるものとする。
【実施例１】
【００２３】
図１は、本発明に係るバブルリング発生装置１０の全体を示す模式的斜視図であり、図２は、本発明に係るバブルリング発生装置１０の構造を示す断面説明図である。本発明に係るバブルリング発生装置１０は、観賞用水槽４０内に設けられる圧力発生装置２０と、気泡発生装置３０から構成されるバブルリング発生装置１０であって、圧力発生装置２０は、ピストンの往復動による圧力発生機構２１と、流動圧発生室２２と、該流動圧発生室２２の壁面２３の一部に設けられる放出穴２４から成り、気泡発生装置３０は、放出される気泡Ｋがカーテン状に放出される直線状の構造を有して成り、圧力発生装置２０から断続的に発生する流動水域Ｅが気泡発生装置３０のカーテン状に浮遊する気泡ゾーンＴを通過することによって横方向に移動するバブルリングＢを形成するものである。
【００２４】
圧力発生装置２０は、ピストンの往復動による圧力発生機構２１と、該圧力発生機構２１を密閉状態で摺動可能に内設する流動圧発生室２２と、該流動圧発生室２２の壁面２３の一部に設けられる放出穴２４から構成される。素材は特に限定されるものではないが、水槽４０内の観賞性の妨げとならないような色彩のもの又は透明なものが望ましい。透明とする場合はアクリル樹脂が加工し易い。特に、ポリメタクリル酸エステル樹脂は高い透明性と耐衝撃性があり、熱可塑形成や着色が容易であり、本発明に係る圧力発生装置２０の素材に望ましい。
【００２５】
圧力発生機構２１は、流動圧発生室２２内の貯留水Ｒを押し込んで圧力を発生させる所謂ピストンであり、圧力発生機構２１は、流動圧発生室２２に内設され、流動圧発生室２２を構成する壁面２３と密閉状態で往復摺動する。該ピストンの駆動は手動でも可能であるが、請求項２に係るバブルリング発生装置１０では、前記圧力発生機構２１の動力手段として、電磁ソレノイドバルブやアクチェーター(Actuator)等を用いて、これを電気的、機械的、又は電気的及び機械的に制御し、一定間隔に放出させたり、ランダムに放出させる構成を採用している。
【００２６】
流動圧発生室２２は、前記ピストンの往復動によって圧縮される筒状の空間であって、周囲を壁面２３で覆い、流動水域Ｅを放出する方向の壁面２３に放出穴２４が設けられる構造を有する。
【００２７】
放出穴２４は、流動圧発生室２２の放出される方向の壁面２３に円形に穿設される。
【００２８】
気泡発生装置３０は、一般的な、熱帯魚用の酸素補給装置等と同様の構造であって、棒状の気泡排出管に微細な複数の空気排出孔が設けられ、外部のエアーコンプレッサー装置等から供給された空気を、該空気排出孔からカーテン状に気泡Ｋを放出する。
【００２９】
観賞用水槽４０は、周壁が透明のガラスまたは樹脂製等の板材で形成され、熱帯魚や水草が飼育される等のアクアリウムである。
【００３０】
図３は、本発明に係るバブルリング発生状態説明図である。
（1）圧力発生機構２１によって形成された流動水域Ｅが、放出穴２４から放出される（水槽内位置Ｌ０）。
（2）放出された流動水域Ｅは、放出流動速度Ｖ１の勢いで横方向に移動する（水槽内位置Ｌ１）。放出流動速度Ｖ１は、流量Ｑ１／開口断面積Ａ１で求められ、流量Ｑ２は、圧力発生機構２１のピストン断面積Ａ２×ストロークで算出される。
（3）そして、流動水域Ｅが横方向に移動して気泡発生装置３０のカーテン状の気泡帯Ｔを通過する（水槽内位置Ｌ２）。
（4）圧力発生機構２１によって形成された流動水域Ｅが放出穴２４から一定の流動速度Ｖ１を伴って放出されると、水槽４０の静水域Ｄと、移動する流動水域Ｅとの境界に速度差が生じ、該速度差から生じる負圧によって（ベルヌーイの定理）、該負圧水域に気泡Ｋが引き寄せられて合体し、バブルリングＢとなるものである。
（5）バブルリングＢは、流動速度Ｖ１が次第に弱ることによって比重差によりやや上昇しながら形状を徐々に崩し（水槽内位置Ｌ３〜Ｌ６）、水槽４０壁面にぶつかり気泡Ｋは拡散してバブルリングＢは消滅する。
【００３１】
つぎに、実験を行った本発明に係るバブルリング発生装置１０の寸法並びに設定条件を、以下例示する。
圧力発生装置２０の圧力発生機構２１に用いたピストンの断面積Ａ２は２８５０ｍｍ２（９５ｍｍ×３０ｍｍ）、ピストンのストロークは５ｍｍ・１０ｍｍ・１５ｍｍの３段階、放出穴口径φは直径２０ｍｍ・２６ｍｍ・３５ｍｍの３種類とし（開口穴断面積Ａ１は円周率×放出穴２４の直径の二乗／４）、放出穴２４から気泡発生装置３０までの距離Ｌ（Ｌ０〜Ｌ２の距離）は６０ｍｍ・１１０ｍｍ・１６０ｍｍ・２１０ｍｍ・２６０ｍｍと変化させた。放出穴２４付近の流動速度Ｖ１は低速・中速・高速の３段階について行った。実験平均値でいうと、それぞれ２６９ｍｍ／秒（低速）・５３７ｍｍ／秒（中速）・８０６ｍｍ／秒（高速）である。また、流動速度Ｖ１の低速・中速・高速に対応するピストンスピードＶ２は、それぞれ４６．５ｍｍ／秒・９３．１ｍｍ／秒・１３９．６６ｍｍ／である（表１から表２参照）。
【００３２】
また、圧力発生装置２０から排出される流量Ｑ２は、流動水域Ｅを形成する流量Ｑ１と等しいので、Ｑ１＝Ａ１×Ｖ１、Ｑ２＝Ａ２×Ｖ２、Ｑ１＝Ｑ２である。なお、表の中の◎・○・△・▼・×の記号は、視認確認により視覚的に評価したものであり、バブルリングＢの形状について、◎は理想的、○は概ね良好といえる範囲のもの、△は途中で崩れ十分とはいえないもの、▼は形状は理想的であるが速すぎて視認し難いもの、×は形にならなかったものである。
【００３３】
【表１】
2011234638.tif 000003
【００３４】
表１は、流量ＱとピストンスピードＶ２とをそれぞれ変化させた場合のバブルリングＢの形成状態結果である。一回に吐き出される流量Ｑが同一流量であれば、ピストンスピードＶ２を速くし、これに応じて流動速度Ｖ１を速くするのが好ましいことがわかる。また、流動速度Ｖ１を同一速度で流量Ｑを変化させた場合、即ち、一回に吐き出される流動水域Ｅの体積流量を変化させた場合は、ピストンのストロークを１５ｍｍまで増加させると、１０ｍｍ以下と比べてバブルリングＢの形成状態が悪くなる。
【００３５】
【表２】
2011234638.tif 000004
【００３６】
表２は、流量Ｑと放出穴口径φを変化させた場合のバブルリングＢの形成状態結果である。一回に吐き出される流量Ｑが同一流量であれば、放出穴２４の口径φを小さくし、これに応じて流動速度Ｖ１を速くするのが好ましいことがわかる。
【００３７】
【表３】
2011234638.tif 000005
【００３８】
表３は、流量Ｑと放出穴２４から気泡発生装置３０までの距離Ｌ（Ｌ０〜Ｌ２の距離）とをそれぞれ変化させた場合のバブルリングＢの形成状態結果である。距離Ｌについては１１０ｍｍ以上を確保すれば、バブルリングＢの形成状態に与える影響は少ないことがわかる。
【００３９】
【表４】
2011234638.tif 000006
【００４０】
表４は、流動速度Ｖ１と放出穴口径φとをそれぞれ変化させた場合のバブルリングＢの形成状態結果である。ここでも流動速度Ｖ１が速い方がバブルリングＢの形成に良いことがわかる。
【００４１】
【表５】
2011234638.tif 000007
【００４２】
表５は、流動速度Ｖ１と放出穴２４から気泡発生装置３０までの距離Ｌ（Ｌ０〜Ｌ２の距離）とをそれぞれ変化させた場合のバブルリングＢの形成状態結果である。中速以上であれば良好なバブルリングＢを形成するが、流動速度Ｖ１があまり早すぎると視認し難く、特に横方向からはバブルリングＢの放出状態が確認し難くなる。
【００４３】
【表６】
2011234638.tif 000008
【００４４】
表６は、放出穴口径φと放出穴２４から気泡発生装置３０までの距離Ｌ（Ｌ０〜Ｌ２の距離）とをそれぞれ変化させた場合のバブルリングＢの形成状態結果である。放出穴口径φ３５ｍｍまで増加させると、２６ｍｍ以下と比べてバブルリングＢの形成状態が悪くなる。
【００４５】
上記実験より、実施例１における良好なバブルリングＢの形成条件としては、放出穴口径φが２０ｍｍから２６ｍｍにおいて、流動速度Ｖ１が５３７ｍｍ／秒から８０６ｍｍ／秒となるようにピストンスピードＶ２を与え、放出穴２４から気泡発生装置３０までの距離Ｌ（Ｌ０〜Ｌ２の距離）が１１０ｍｍ以上であって、少なくとも２６０ｍｍの範囲内となるようにすればよい。
【００４６】
図５から図１１は、本発明に係るバブルリング発生状況を略正面方向から撮影した写真であり、図１２から図１８は、本発明に係るバブルリング発生状況を略横方向から撮影した写真である。係る写真は、バブルリングＢの形成状態を参考資料として示したものであり、放出穴口径φが２６ｍｍ、流動速度Ｖ１が５３７ｍｍ／秒、放出穴２４から気泡発生装置３０までの距離Ｌが１１０ｍｍで、ピストンのストロークを１０ｍｍとしたものである。図５及び図１２は、流動水域Ｅが水槽４０内に発生していない状態。図６及び図１３は、流動水域Ｅの先端付近が気泡ゾーンＴに差し掛かった辺り（Ｌ２付近）。図７から図９及び図１４から図１８は、バルブリングＢの移動状態を示している。そして、図１０及び図１１は、バルブリングＢが水槽４０の壁面にぶつかり消滅する所を示している。
【実施例２】
【００４７】
つぎに、本発明に係る第二の実施形態を説明する。
請求項２に係るバブルリング発生装置１０では、前記圧力発生機構２１の動力手段として、電磁ソレノイドバルブやアクチェーター等を用いて、これを電気的、機械的、又は電気的及び機械的に制御し、一定間隔に放出させたり、ランダムに放出させる構成を採用している。
【００４８】
具体的には、例えば、圧力発生機構２１の動力手段に、ステッピングモータにより任意速度制御やストローク制御を可能としている伝導アクチュエータを用いて、ピストンスピード及びピストンストロークを自動制御したり、直流モータのＰＷＭ制御（Ｐulse  Ｗidth  Ｍodulation）や、電磁ソレノイドを歯車機構等による減速機を用いてピストンスピードを制御したりするなどして、理想的なバブルリングＢを形成できる流動速度Ｖ１を得る。また、同時に、放出間隔等をプログラミング制御して水槽４０内の装飾効果を高める構成とするのが望ましい。
【実施例３】
【００４９】
図１９は、本発明に係る第三の実施形態を示す説明図である。
請求項３に係るバブルリング発生装置１０では、放出穴２４の開口面２４aが、任意の放出方向に調整できる角度調整機能４１を有していることによって、バブルリングＢの放出方向を変化させることができる構造となっている。
【００５０】
角度調整機構４１には、例えば、放出穴２４が穿設されたリング状またはノズル状部材の外筒側壁を球面にして、その曲率を、流動圧発生室２２の壁面２３の一部に設けられる該リング状またはノズル状部材を嵌装させるための内壁と一致させて任意の角度に調整でき、調整後の角度を保持できる程度の嵌め合い関係となるように備える。または、該ノズル状部材の壁面２３付近に、曲げた状態を保持できる蛇腹を設けるなどの構造も考え得る。
【実施例４】
【００５１】
請求項４に係るバブルリング発生装置１０では、放出穴２４の開口面２４aの口径を差し替え式のプレートで形成することで、任意の口径の放出穴２４によって自在に交換可能となる構造を採用する。
【００５２】
また、差し替え式でなく、回転プレートに大きさの異なる放出穴２４を複数設け、該回転プレートを回転させて任意の口径の放出穴２４を選択できるようにするのも有効である。この場合、例えば、該回転プレートをサーボモータやステッピングモーター等で回転制御し、さらに、前記アクチュエータ等と同時に制御すれば、放出穴口径φに応じて流量Ｑやピストンスピードを調整できるので、異なる大きさでも其々理想的な形状のバブルリングＢを創出可能となる。
【実施例５】
【００５３】
図２０は、本発明に係る第五の実施形態を示す説明図である。
請求項５に係るバブルリング発生装置１０では、放出穴２４の数量が、複数である構成を採用している。図面上では、縦方向の上下二か所に放出穴口径φの異なる放出穴２４を設けた例を示しているが、これは例示であって、例えば、並行するように複数並べたりしてもよい。
【００５４】
ただし、放出穴２４同士の距離が近いと、相互の負圧の影響を受けて乱れてしまうので理想的な形状のバブルリングＢを創出し難くなる。したがって、係る構成を採用する場合は、放出穴２４間距離を十分にとるか、あるいは、前記制御等により、交互に放出する必要がある。
【産業上の利用可能性】
【００５５】
本発明に係るバブルリング発生装置は、観賞用の水槽装飾装置として従来にない視覚効果が得られるもので商業目的の宣伝効果ならびに視覚的ディスプレイ効果を有する鑑賞装置としても広くその利用可能性が期待できるもので、本発明に係るバブルリング発生装置の産業上の利用可能性は極めて高いものと解する。
【符号の説明】
【００５６】
１０  バブルリング発生装置
２０  圧力発生装置
２１  圧力発生機構
２２  流動発生室
２３  壁面
２４  放出穴
２４a  開口面
３０  気泡発生装置  
４０  水槽
４１  角度調整機構
Ａ１  開口穴断面積
Ａ２  ピストン断面積
φ    放出穴口径
Ｂ    バブルリング
Ｋ    気泡
Ｔ    気泡ゾーン  
Ｄ    静水域
Ｅ    流動水域
Ｒ    貯留水
Ｖ１  流動速度
Ｖ２  ピストン速度
Ｑ    流量
Ｌ    放出穴・気泡発生装置間距離
【図１】
2011234638.tif 000009
【図２】
2011234638.tif 000010
【図３】
2011234638.tif 000011
【図４】
2011234638.tif 000012
【図１９】
2011234638.tif 000013
【図２０】
2011234638.tif 000014
【図５】
2011234638.tif 000015
【図６】
2011234638.tif 000016
【図７】
2011234638.tif 000017
【図８】
2011234638.tif 000018
【図９】
2011234638.tif 000019
【図１０】
2011234638.tif 000020
【図１１】
2011234638.tif 000021
【図１２】
2011234638.tif 000022
【図１３】
2011234638.tif 000023
【図１４】
2011234638.tif 000024
【図１５】
2011234638.tif 000025
【図１６】
2011234638.tif 000026
【図１７】
2011234638.tif 000027
【図１８】
2011234638.tif 000028